(57)【要約】【課題】簡易な構造で、部品数を少なくコスト安で独立した区画内における上下の区画室の容量を可変させるようにした冷凍冷蔵庫を得ることを目的とする。【解決手段】独立した冷蔵室１、製氷室２、切替室３、野菜室４、冷凍室５を有する冷凍冷蔵庫において、冷蔵室１内に４つの独立した区画７ａ〜７ｄを設け、その一番下の独立した区画７ｄ内に上下移動可能な天井棚８を設けたものである。【選択図】図２
2010071577.tif 000002
【特許請求の範囲】
【請求項１】
少なくとも独立した冷蔵室、冷凍室を有する冷凍冷蔵庫において、
前記冷蔵室内に１つ以上の独立した区画を設け、その独立した区画内に上下移動可能な天井棚を設けたことを特徴とする冷凍冷蔵庫。
【請求項２】
前記天井棚はレバー操作によって駆動される昇降機構によって上下移動させられることを特徴とする請求項１記載の冷凍冷蔵庫。
【請求項３】
前記独立した区画内で前記天井棚によって仕切られた下方の区画室は垂直な固定仕切板によって２つの小区画室を有することを特徴とする請求項１又は２記載の冷凍冷蔵庫。
【請求項４】
前記１つの小区画室に前方に引き出し可能な容器を設けたことを特徴とする請求項３記載の冷凍冷蔵庫。
【発明の詳細な説明】
【技術分野】
【０００１】
本発明は冷凍冷蔵庫、詳しくは冷蔵室内の独立した区画内に上下移動可能な天井棚を設けた冷凍冷蔵庫に関する。
【背景技術】
【０００２】
従来の冷凍冷蔵庫は、冷蔵室の下部に升状部材と上側に棚が構成された筒状部材とを組み合わせた容器を設け、棚と筒状部材が連動して上下移動可能に構成している冷蔵庫がある（例えば、特許文献１参照）。
また、冷蔵室の下部に容量可変容器を備えた冷蔵庫がある（例えば、特許文献２参照）。
さらに、低温室は外部ケースと内部ケースから構成され、内部ケースは底面に設けられたバネにより上下に動作し、容量が可変する冷蔵庫がある（例えば、特許文献３参照）。
【０００３】
【特許文献１】特開２００２−２２８３４９号公報（第１頁、図４）
【特許文献２】特開２００２−２６４９４３号公報（第１頁、図１）
【特許文献３】特開平７−９１８０４号公報（第１頁、図１）
【発明の開示】
【発明が解決しようとする課題】
【０００４】
上述した特許文献１記載の従来の冷凍冷蔵庫は、外側の升状部材と上側に棚が構成された内側の筒状部材とを組み合わせた容器を備え、外側の升状部材が上下動することにより容器の容量を可変させるものである。
また、上述した特許文献２、３に記載の従来の冷蔵庫は、外側ケースと内側ケースとを組み合わせ、外側ケースに対し内側ケースを上下動させて容量を可変させるものである。
このように上述した従来の冷蔵庫は、いずれも内側と外側の２種類のケースを組み合わせ、内側又は外側のケースを上下動させて容量を可変させるもので、容器構造が複雑であり、また部品数が多くコスト高となるという問題があった。
本発明は、かかる問題を解決するためになされたもので、簡易な構造で、部品数を少なくコスト安で独立した区画内における上下の区画室の容量を可変させるようにした冷凍冷蔵庫を得ることを目的とする。
【課題を解決するための手段】
【０００５】
本発明の冷凍冷蔵庫は、少なくとも独立した冷蔵室、冷凍室を有する冷凍冷蔵庫において、前記冷蔵室内に１つ以上の独立した区画を設け、その独立した区画内に上下移動可能な天井棚を設けたものである。
【発明の効果】
【０００６】
本発明の冷凍冷蔵庫においては、少なくとも独立した冷蔵室、冷凍室を有する冷凍冷蔵庫において、前記冷蔵室内に１つ以上の独立した区画を設け、その独立した区画内に上下移動可能な天井棚を設けたので、独立した区画内で天井棚によって上下に仕切られた２つの区画室の容量を天井棚の上下移動によって可変でき、その構成部品は上下移動可能な天井棚だけであるため、簡易な構造で、部品数が少なく、コスト安という効果がある。
【発明を実施するための最良の形態】
【０００７】
実施の形態１．
図１は本発明の実施の形態１の冷凍冷蔵庫の正面図、図２は同冷凍冷蔵庫の冷蔵室の正面図、図３は同冷凍冷蔵庫の冷蔵室下部の正面図、図４は同冷凍冷蔵庫の冷蔵室下部の断面図、図５は同冷凍冷蔵庫の冷蔵室の天井棚の平面図、図６は同冷凍冷蔵庫の冷蔵室の天井棚の正面図、図７は同冷凍冷蔵庫の冷蔵室の天井棚の右側面図、図８は図７の部分拡大断面図、図９は同冷凍冷蔵庫の冷蔵室の天井棚の昇降機構を示す斜視図、図１０は同冷凍冷蔵庫の冷蔵室の天井棚の昇降機構の回転軸と回転軸ホルダと固定ホルダとの分解斜視図、図１１は同冷凍冷蔵庫の冷蔵室の天井棚の昇降機構の回転軸と回転軸ホルダが組み付けられた固定ホルダを冷蔵庫に固定した状態を示す説明図、図１２は同冷凍冷蔵庫の冷蔵室の天井棚の昇降機構の回転軸の上下動を示す説明図、図１３は同冷凍冷蔵庫の冷蔵室の天井棚が下位置の状態を示す断面図、図１４は同冷凍冷蔵庫の冷蔵室の天井棚が下位置の状態の仕切部分を示す断面図、図１５は同冷凍冷蔵庫の冷蔵室の天井棚が上位置の状態を示す断面図、図１６は同冷凍冷蔵庫の冷蔵室の天井棚が上位置の状態の仕切部分を示す断面図である。
【０００８】
図１〜図４において、本実施の形態１の冷凍冷蔵庫は、上部に冷蔵室１を有し、冷蔵室１の下に製氷室２及び切替室３を有し、製氷室２及び切替室３の下に野菜室４を有し、野菜室４の下で最下部に冷凍室５を有している。
冷蔵室１は上下方向に３つの固定棚６ａ〜６ｃで仕切られ、４つの区画室７ａ〜７ｄを有している。一番下の区画室７ｄは上下方向に移動する天井棚８で仕切られており、天井棚８の下方は固定仕切板２１で垂直に仕切られており、右側には小区画室であるチルド室９が形成され、左側には小区画室である卵室１０が形成されている。そのチルド室９にチルドケース９ａが配設され、卵室１０に卵ケース１０ａが配設されている。２２は天井棚８の上下方向の移動に伴って移動する可動仕切板である。その可動仕切板２２にはチルド室の前側上部に設けられたフタ１１も一体に取り付けられている。
【０００９】
図５〜図１２において、冷蔵室１の一番下の区画室７ｄに配設された天井棚８は、昇降機構１２によって上下方向に移動させられる。
その昇降機構１２は、図９に示す如く、区画室７ｄの四隅の側壁の横穴１３にそれぞれ挿入係止された固定ホルダ１４と、各固定ホルダ１４に固定された回転軸ホルダ１５と、各回転軸ホルダ１５に螺合された昇汞部材である回転軸１６と、各回転軸１６の上部に一体に取り付けられたベルト受け軸１７と、各ベルト受け軸１７に張設されたベルト１８と、ベルト１８に取り付けられ、ベルト１８を可動させるレバー１９とで構成されている。２０は回転軸１６を覆うカバーである。
そして、４つの回転軸１９にそれぞれ一体の４つのベルト受け軸１７の頂部に天井棚８の四隅が載置されており、４つの回転軸１６の上下動に伴い、天井棚８が上下に移動する。
【００１０】
固定ホルダ１４の冷蔵室１への固定と、固定ホルダ１４への回転軸ホルダ１５の取り付け状態について図１０及び図１１に基づいて詳細に説明する。
固定ホルダ１４は、水平係止舌片１４ａと、水平係止舌片１４ａの基端に一体に取り付けられた一対のＬ字状支持片１４ｂと、各Ｌ字状の支持片１４の水平支持片に設けられた突起挿入穴１４ｃと、水平係止舌片１４ａの基端に一体に取り付けられたホルダ案内受け片１４ｄとを有して構成されている。
また、回転軸ホルダ１５は、細長い板状ホルダ本体１５ａ、板状ホルダ本体１５ａの中央に設けられた回転軸１６が螺合するネジ穴１５ｂと、板状ホルダ本体１５ａの両端から垂下するよう設けられた固定用突起１５ｃと、板状ホルダ本体１５ａの一側部から垂下するよう設けられた案内片１５ｄとを有して構成されている。
【００１１】
冷蔵室１の一番下の区画室７ｄの四隅の側壁に設けられた横穴１３に固定ホルダ１４の水平係止舌片１４ａを挿入係止することにより、区画室７ｄの側壁に固定ホルダ１４が固定される。その固定ホルダ１４の一対のＬ字状支持片１４ｂの水平支持片に設けられた突起挿入穴１４ｃにそれぞれ回転軸ホルダ１５の固定用突起１５ｃを挿入することにより、固定ホルダ１４に回転軸ホルダ１５が回動しないように取り付けられる。このとき、固定ホルダ１４のホルダ案内受け片１４ｄに回転軸ホルダ１５の案内片１５ｄが係合する。
そして、回転軸ホルダ１５の板状ホルダ本体１５ａのネジ穴１５ｂに回転軸１６が螺合されている。なお、回転軸１６の下端には抜け止め部材１５ａが取り付けられている。
【００１２】
次に、天井棚８を上下方向に移動させる昇降機構１２の動作について説明する。
図６又は図９に示すレバー１９を左右に移動させると、レバー１８と一体のベルト１８も左右に移動し、ベルト１８が張設されている各ベルト受け軸１７が回転し、各ベルト受け軸１７と一体の回転軸１６が回転する。回転軸１６は固定ホルダ１４に固定された回転軸ホルダ１５に螺合しているので、回転軸１６が回転すると、回転ホルダ１５に対して図１２に示すように上下動する。回転軸１６と一体のベルト受け軸１７も上下動し、ベルト受け軸１７に載置されている天井棚８０が上下方向に移動、即ち昇降することになる。
この天井棚８の上下方向の移動により、チルドケース９ａが配設されたチルド室９と卵ケース１０ａが配設された卵室１０の内容積が変動する。
また、天井棚８に一体の可動仕切板２２とそれと一体のフタ１１も上下動する。
【００１３】
この実施の形態１の冷凍冷蔵庫では、冷蔵室１の固定棚６ｃで仕切られた一番下の区画室７ｄは上下方向に移動する天井棚８で仕切られており、天井棚８の下方は固定仕切板２１で垂直に仕切られており、右側にはチルド室９が形成され、左側には卵室１０が形成されており、天井棚８はレバー１９の操作により駆動する昇降機構１２によって上下方向に移動することにより、チルド室９と卵室１０の内容積が変動するようにしているので、追加部品は仕切り部材である天井棚８と、天井棚８を上下方向に移動させる昇降機構１２を設けるだけで済み、部品数が従来のものに比べて大幅に減少し、コスト安である。
【００１４】
実施の形態２．
図１７は本発明の実施の形態２の冷凍冷蔵庫の冷蔵室のチルドケースが引き出された状態を示す断面図である。
この実施の形態２は、冷蔵室１の固定棚６ｃで仕切られた一番下の区画室７ｄの上下方向に移動する天井棚８と固定仕切板２１で垂直に仕切られた右側のチルド室９に、チルドケース９ａを引き出し自在に設けたものである。
このように、チルド室９にチルドケース９ａを引き出し自在に設けることにより、チルドケース９ａに収納する食品の出し入れが容易になる。
【図面の簡単な説明】
【００１５】
【図１】本発明の実施の形態１の冷凍冷蔵庫の正面図。
【図２】同冷凍冷蔵庫の冷蔵室の正面図。
【図３】同冷凍冷蔵庫の冷蔵室下部の正面図。
【図４】同冷凍冷蔵庫の冷蔵室下部の断面図。
【図５】同冷凍冷蔵庫の冷蔵室の天井棚の平面図。
【図６】同冷凍冷蔵庫の冷蔵室の天井棚の正面図。
【図７】同冷凍冷蔵庫の冷蔵室の天井棚の右側面図。
【図８】図７の部分拡大断面図。
【図９】同冷凍冷蔵庫の冷蔵室の天井棚の昇降機構を示す斜視図。
【図１０】同冷凍冷蔵庫の冷蔵室の天井棚の昇降機構の回転軸と回転軸ホルダと固定ホルダとの分解斜視図。
【図１１】同冷凍冷蔵庫の冷蔵室の天井棚の昇降機構の回転軸と回転軸ホルダが組み付けられた固定ホルダを冷蔵庫に固定した状態を示す説明図。
【図１２】同冷凍冷蔵庫の冷蔵室の天井棚の昇降機構の回転軸の上下動を示す説明図。
【図１３】同冷凍冷蔵庫の冷蔵室の天井棚が下位置の状態を示す断面図。
【図１４】同冷凍冷蔵庫の冷蔵室の天井棚が下位置の状態の仕切部分を示す断面図。
【図１５】同冷凍冷蔵庫の冷蔵室の天井棚が上位置の状態を示す断面図。
【図１６】同冷凍冷蔵庫の冷蔵室の天井棚が上位置の状態の仕切部分を示す断面図。
【図１７】本発明の実施の形態２の冷凍冷蔵庫の冷蔵室のチルドケースが引き出された状態を示す断面図。
【符号の説明】
【００１６】
１  冷蔵室、２  製氷室、３  切替室、４  野菜室、５  冷凍室、６ａ〜６ｃ  固定棚、７ａ〜７ｄ  区画室、８  天井棚、９  チルド室、９ａ  チルドケース、１０  卵室、１０ａ  卵ケース、１１  フタ、１２  昇降機構、１９  レバー。
【図１】
2010071577.tif 000003
【図２】
2010071577.tif 000004
【図３】
2010071577.tif 000005
【図４】
2010071577.tif 000006
【図５】
2010071577.tif 000007
【図６】
2010071577.tif 000008
【図７】
2010071577.tif 000009
【図８】
2010071577.tif 000010
【図９】
2010071577.tif 000011
【図１０】
2010071577.tif 000012
【図１１】
2010071577.tif 000013
【図１２】
2010071577.tif 000014
【図１３】
2010071577.tif 000015
【図１４】
2010071577.tif 000016
【図１５】
2010071577.tif 000017
【図１６】
2010071577.tif 000018
【図１７】
2010071577.tif 000019